(57)【要約】      （修正有）【課題】悪臭の飛散を防ぐことができるゴミ用水切り袋を提供する。【解決手段】ゴミ用水切り袋は、袋体１０と袋体１０の上部に設けられている第１貫通孔１１を含み、袋体の底部２０は、網状又は複数の貫通孔を有する形状に設けられている。ゴミ用水切り袋がゴミでいっぱいになったら、手で袋口部の第１貫通孔１１と相対する部位を掴んで、第１貫通孔１１に貫通させてから、持ち上げれば、袋口を閉じることができる。袋口を閉じることによって、ゴミから発する悪臭を袋の中に封じ込め、悪臭の飛散を防止し、更にゴミの溢れを防ぐことができる。【選択図】図１
0003202981.tif 000002
【実用新案登録請求の範囲】
【請求項１】
ゴミ用水切り袋であって、袋体（10）と前記袋体（10）の上部に設けられている第1貫通孔（11）を含み、前記袋体（10）の底部（20）は網状又は複数の貫通孔を有する形状に設けられている、ことを特徴とするゴミ用水切り袋。
【請求項２】
前記第1貫通孔（11）の位置と相対する他側に設けられている第2貫通孔（12）を更に含んでいる、ことを特徴とする請求項１に記載のゴミ用水切り袋。
【請求項３】
前記第1貫通孔（11）の上方には第1引裂線（21）が設けられ、前記第2貫通孔（12）の上方には第2引裂線（22）が設けられている、ことを特徴とする請求項２に記載のゴミ用水切り袋。
【請求項４】
前記袋体（10）の側壁は2つの矩形のシート材（101）からなり、一つの前記シート材（101）の両側辺（1011）と他の一つの前記シート材（101）の相応する側辺（1011）が貼り合わせられており、
2つの前記シート材（101）の対応する一角には相対して前記第1貫通孔（11）が設けられており、2つの前記シート材（101）の対応する他の一角には相対して前記第2貫通孔（12）が設けられている、ことを特徴とする請求項２に記載のゴミ用水切り袋。
【請求項５】
前記第2貫通孔（12）は半枠形であり、前記第2貫通孔（12）の幅は前記第1貫通孔（11）の幅より広い、ことを特徴とする請求項４に記載のゴミ用水切り袋。
【請求項６】
前記第1貫通孔（11）と第2貫通孔（12）は開口が相反する半枠形である、ことを特徴とする請求項４に記載のゴミ用水切り袋。
【請求項７】
前記第1貫通孔（11）と第2貫通孔（12）は開口が相反するフック状である、ことを特徴とする請求項４に記載のゴミ用水切り袋。
【請求項８】
前記袋体（10）の側壁は2つの矩形のシート材（101）からなり、一つの前記シート材（101）の両側辺（1011）と他の一つの前記シート材（101）の相応する側辺（1011）が貼り合わせられており、
2つの前記シート材（101）の対応する一角には、相対して第1貫通孔（11）が設けられており、前記シート材（101）の上縁部にはミシン目方式で形成されている第3引裂線（23）が設けられ、前記第3引裂線（23）はシート材の第1貫通孔（11）の位置と相対する側辺までに延伸されている、ことを特徴とする請求項１に記載のゴミ用水切り袋。
【請求項９】
前記袋体（10）の底部（20）は矩形のメッシュシート（102）からなり、前記メッシュシート（102）は2つの前記シート材（101）の間に設けられており、前記メッシュシート（102）は中折りされて、前記メッシュシート（102）の折辺（1021）と前記シート材（101）の側辺（1011）が貼り合わせられ、前記メッシュシート（102）の他の2つの対辺（1022）はそれぞれ前記シート材（101）の対応する底辺（1012）に貼り合わせられている、ことを特徴とする請求項３から請求項８のいずれかの一項に記載のゴミ用水切り袋。
【考案の詳細な説明】
【技術分野】
【０００１】
本考案はゴミ用水切り袋に関する。
【背景技術】
【０００２】
現在、普段使用されているゴミ用水切り袋は全てが開口されており、袋口を閉じることができないので、水切り袋の中のゴミを直ちに処理しないと悪臭を発し、更にゴミが溢れることがある。
【考案の概要】
【考案が解決しようとする課題】
【０００３】
本考案の目的は、上述の問題の少なくとも一つを解決するためのゴミ用水切り袋を提供することにある。
【課題を解決するための手段】
【０００４】
本考案の提供するゴミ用水切り袋は、袋体と袋体の上部に設けられている第1貫通孔を含み、袋体の底部は網状又は複数の貫通孔を有する形状に設けられている。
【０００５】
本考案のゴミ用水切り袋は、袋体の上部に第1貫通孔が設けられており、ゴミ用水切り袋がゴミでいっぱいなったら、手で袋口部の第1貫通孔と相対する部位を掴み、第1貫通孔に貫通させて、持ち上げれば、袋口を閉じることができる。袋口を閉じることによって、ゴミが発する悪臭を袋の中に封じ込め、悪臭の飛散を防止し、更にゴミの溢れを防ぐことができる。
【０００６】
いくつかの実施形態では、本考案は、第1貫通孔の位置と相対する反対側に設けられている第2貫通孔を更に含む。ゴミ用水切り袋がゴミでいっぱいになったら、第2貫通孔の上方の袋口部を掴んで、第1貫通孔に貫通させて、袋口を閉じると同時に、第2貫通孔を、ゴミ用水切り袋を掛けて置くことに用いることができる。その逆も同様である。
【０００７】
いくつかの実施形態では、本考案の第1貫通孔の上方には第1引裂線が設けられ、第2貫通孔の上方には第2引裂線が設けられている。ゴミ用水切り袋がゴミでいっぱいになったら、第1引裂線と第2引裂線をそれぞれ引き裂いて2本の相対する帯を形成し、2本の帯をそれぞれ下方の相応する位置にある貫通孔に、内側から外側へと貫通させてから、2本の帯を結ぶことによって、袋口を閉じることができる。
【０００８】
いくつかの実施形態では、本考案の袋体の側壁は２つの矩形のシート材からなり、一つのシート材の２つの側辺と他のシート材の相応する側辺が貼り合わせられている。２つのシート材の対応する一角には、相対して第1貫通孔が設けられており、２つのシート材の対応する他の一角には相対して第2貫通孔が設けられている。ゴミ用水切り袋がゴミでいっぱいになったら、袋口を合わせて、手で袋体の１つの上隅を掴み、相対する１つの貫通孔に貫通させて持ち上げれば、袋口を閉じることができる。
【０００９】
いくつかの実施形態では、本考案の第2貫通孔は半枠型であり、第2貫通孔の幅は第1貫通孔の幅より広い。ゴミ用水切り袋がゴミでいっぱいになったら、袋口を合わせて、第2貫通孔を開孔することによって形成される挿入片を第1貫通孔に挿入して、袋口を閉じることができる。
【００１０】
いくつかの実施形態では、本考案の第1貫通孔と第2貫通孔は開口が相反する半枠型になっている。ゴミ用水切り袋がゴミでいっぱいになったら、袋口を合わせて、第2貫通孔と第1貫通孔を開孔することによって形成される挿入片を互いに反対側の孔の中に挿入して、袋口を閉じることができる。
【００１１】
いくつかの実施形態では、本考案の第1貫通孔と第2貫通孔は、開口が相反するフック状になっている。ゴミ用水切り袋がゴミでいっぱいになったら、袋口を合わせて、第2貫通孔と第1貫通孔を開孔することによって形成されるフック状の挿入片を互いに反対側の孔の中に挿入して、袋口を閉じることができる。
【００１２】
いくつかの実施形態では、本考案の袋体の側壁は２つの矩形のシート材からなり、一つのシート材の両側辺と他の一つのシート材の相応する側辺がそれぞれ貼り合わせられている。２つのシート材の対応する一角には相対して第1貫通孔が設けられており、シート材の上縁部にはミシン目方式で形成されている引裂線が設けられ、引裂線はシート材の第1貫通孔の位置と相対する側辺まで延伸されている。ゴミ用水切り袋がゴミでいっぱいになったら、引裂線を引き裂いてスリット状の帯を形成させてから、袋口を束状に束ねて、帯で袋口を縛り、最後は帯を第1貫通孔に貫通させて、袋口を閉じることができ、且つゴミ袋を持ち上げることにも役立つ。
【００１３】
いくつかの実施形態では、本考案の袋体の底部は矩形のメッシュシートからなり、メッシュシートは２つのシート材の間に設けられており、メッシュシートは中折りされて、メッシュシートの折辺とシート材の側辺が貼り合わせられ、メッシュシートのその他の２つの対辺は、それぞれシート材と対応する底辺に貼り合わせられている。該構成によって側壁を拡開する際に、袋体は柱状を呈して、自然に直立の状態を保つことができ、人々が袋の中にゴミを入れ易くなる。ゴミ袋を保管する際には、全体がシート状になって、空間を節約することができる。
【図面の簡単な説明】
【００１４】
【図１】図１は、本考案の１実施形態のゴミ用水切り袋の構造模式図である。
【図２】図２は、本考案の2実施形態のゴミ用水切り袋の構造模式図である。
【図３】図３は、本考案の３実施形態のゴミ用水切り袋の構造模式図である。
【図４】図４は、本考案の４実施形態のゴミ用水切り袋の構造模式図である。
【図５】図５は、本考案の５実施形態のゴミ用水切り袋の構造模式図である。
【図６】図６は、本考案の６実施形態のゴミ用水切り袋の構造模式図である。
【図７】図７は、本考案の７実施形態のゴミ用水切り袋の構造模式図である。
【図８】図８は、図１のゴミ用水切り袋の分解構造模式図である。
【考案を実施するための形態】
【００１５】
次に図面を用いて、本考案について更に詳細に説明する。
【００１６】
図1は、概略的に本考案の１実施形態のゴミ用水切り袋の構造を示している。
図1に示すように、該ゴミ用水切り袋は、袋体10と袋体の上部に設けられている第1貫通孔11を含む。袋体10の底部20は網状又は複数の貫通孔を有する形状に設けられている。
【００１７】
本実施例では、袋体10の下部は網状に設けられている。他の実施例では、袋体10の下部は複数の貫通孔を有する形状に設けられて、水を流出させることができる。
【００１８】
本実施例では、袋体10の底部20の材質はPE網である。その他の実施例では、袋体10の底部20の材質はPVC又はPET等の材質であってもよい。
【００１９】
本実施形態では、図8に示すように、袋体10の側壁は2つの矩形のシート材101からなり、一つのシート材101の両側辺1011と他の一つのシート材101の相応する側辺1011が貼り合わせられている。袋体10の底部は矩形のメッシュシート102からなり、メッシュシート102は2つのシート材101の間に設けられ、メッシュシート102は中折りにされており、メッシュシート102の折辺1021とシート材101の側辺1011が貼り合わせられ、メッシュシート102の他の2つの対辺1022はシート材101の対応する底辺1012に貼り合わせられている。該構成によって、側壁を拡開する際に、袋体10は柱状を呈して、自然に直立状態を保つことができ、人が袋の中にゴミを入れ易くなる。ゴミ袋を保管する際には、全体がシート状になって、空間を節約することができる。その他の実施例では、袋体10を直接バケットの形状又はその他の形状に設計することもできる。
【００２０】
該ゴミ用水切り袋は使用しない状態では、全体がシート状を呈しているため、保管し易くなっており、占有空間が小さくなる。該ゴミ用水切り袋を使用する際に、袋体10の側壁を両辺に向けて拡開し、袋体10は全体が柱状を呈して、自然に直立状態を保つことができる。拡開されたゴミ用水切り袋を水槽内に置いて、ゴミを袋の中に入れれば、ゴミの中の水又は他の液体はゴミ用水切り袋の底部から流出して、下水道から直接排出されるため、固態のゴミだけが袋の中に残される。
【００２１】
図6に示すように、2つのシート材101の対応する一角には相対して第1貫通孔11が設けられてもよく、シート材101の上縁部には、ミシン目方式で形成されている第3引裂線23が設けられ、第3引裂線23はシート材101の第1貫通孔101位置と相対する側辺の1011まで延伸している。ゴミ用水切り袋がゴミでいっぱいになったら、第3引裂線23を引き裂いてスリット状の帯を形成させてから、袋口を束状に束ねて、帯で袋口を縛り、最後は帯を第1貫通孔11に貫通させて、袋口を閉じ、且つゴミ袋を容易に持ち上げることができる。
【００２２】
その他の実施例では、図2に示すように、第1貫通孔11の位置と相対する他側には第2貫通孔12が更に設けられてもよい。ゴミ用水切り袋がゴミでいっぱいになったら、第2貫通孔12の上方の袋口部を掴んで、第1貫通孔11に貫通させて、袋口を閉じると同時に、第2貫通孔12に、ゴミ用水切り袋を掛けて置くことも可能であり、その逆も同様である。
【００２３】
図3に示すように、第2貫通孔12は半枠型であってもよく、第2貫通孔12の幅は第1貫通孔11の幅より広い。ゴミ用水切り袋がゴミでいっぱいになったら、袋口を合わせて、第2貫通孔12を開孔することによって形成される挿入片を第1貫通孔11に挿入して、袋口を閉じることができる。
【００２４】
図4に示すように、第1貫通孔11と第2貫通孔12は開口が相反している半枠型であってもよい。ゴミ用水切り袋がゴミでいっぱいになったら、袋口を合わせて、第1貫通孔11と第2貫通孔12を開孔することによって形成される挿入片を互いに反対側の孔の中に挿入して、袋口を閉じることができる。
【００２５】
図5に示すように、第1貫通孔11と第2貫通孔12は開口が相反するフック状であってもよい。ゴミ用水切り袋がゴミでいっぱいになったら、袋口を合わせて、第1貫通孔11と第2貫通孔12を開孔することによって形成されるフック状の挿入片を互いに反対側の孔の中に挿入して、袋口を閉じることができる。
【００２６】
図7に示すように、第1貫通孔11の上方には第1引裂線21が設けられ、第2貫通孔12上方には第2引裂線22が設けられていてもよい。ゴミ用水切り袋がゴミでいっぱいになったら、第1引裂線21と第2引裂線をそれぞれ引き裂いて、2本の相対する帯を形成し、2本の帯をそれぞれ下方の相応する箇所に位置する貫通孔に、内側から外側へ貫通させてから、2本の帯を結ぶことによって、袋口を閉じることができる。
【００２７】
すべての貫通孔はミシン目ナイフを用いて、引裂線を制作し、必要な場合、引裂線を破いて貫通孔を形成することができる。
【００２８】
ゴミ用水切り袋の袋体10の材質はプラスチック、不織布又は紙などであってもよく、分解性材料が好ましい。
以上述べたのは、本考案のいくつかの実施形態であるが、本考案の思想に対して限定するものではない。当業者にとって、本考案の思想から離れない前提で、複数の変形と改善を行うことができるが、これらの全ては本考案の保護範囲内に属するべきである。
【図１】
0003202981.tif 000003
【図２】
0003202981.tif 000004
【図３】
0003202981.tif 000005
【図４】
0003202981.tif 000006
【図５】
0003202981.tif 000007
【図６】
0003202981.tif 000008
【図７】
0003202981.tif 000009
【図８】
0003202981.tif 000010